(57)【要約】【課題】転写材としてロール用紙を用いた画像形成装置において、吸湿した用紙部分を事前に検知して排出することで、用紙の吸湿による白抜けの問題を解消する。【解決手段】本発明は、像担持体３３上に形成した画像を給紙搬送手段７０〜７５により給紙搬送される転写材上に、転写手段３６により転写し、定着手段３４，３５により定着する画像形成装置であり、転写材としてロール用紙７８〜８０を用い、用紙サイズに応じてロール用紙をカットして給紙する手段７６，７７を備え、給紙部８２内に温湿度センサ８３を配置し、温湿度センサからの温湿度情報によりロール用紙の吸湿度を検知する構成の画像形成装置において、温湿度センサ８３で検知した温湿度情報より、ロール用紙の吸湿時間を算出し、算出時間に応じてロール用紙の吸湿した用紙長部分を自動でカットして排紙する。【選択図】              図１
2005004072.tif 000002
【特許請求の範囲】
【請求項１】
像担持体を帯電手段により一様に帯電した後、原稿画像の露光、あるいは画像信号に応じた光書込みにより、前記像担持体上に静電潜像を形成し、この静電潜像を現像手段の現像剤により顕像化し、顕像化された画像を転写材給紙搬送手段により給紙搬送される転写材上に、転写手段により転写し、転写材に転写された画像を定着手段により定着する画像形成装置であって、前記転写材としてロール状に巻かれた用紙（ロール用紙）を用い、該ロール用紙を１以上収納したロール用紙給紙部と、用紙サイズに応じてロール用紙をカットして給紙する手段を備え、前記ロール用紙給紙部内に温湿度センサを配置し、該温湿度センサからの温湿度情報によりロール用紙の吸湿度を検知する構成の画像形成装置において、
前記温湿度センサで検知した温湿度情報より、ロール用紙の吸湿時間を算出し、算出時間に応じてロール用紙の吸湿した用紙長部分を自動でカットして排紙することを特徴とする画像形成装置。
【請求項２】
請求項１記載の画像形成装置において、
用紙種類などの用紙情報を入力する操作部入力手段を備え、該操作部入力手段と連動して、ロール用紙の吸湿時間を自動で算出し、算出時間に応じてロール用紙の吸湿された用紙長部分を自動でカットして排紙することを特徴とする画像形成装置。
【請求項３】
請求項１記載の画像形成装置において、
用紙厚または用紙幅などの用紙情報を入力する操作部入力手段を備え、該操作部入力手段と連動して、ロール用紙の吸湿時間を自動で算出し、算出時間に応じてロール用紙の吸湿された用紙長部分を自動でカットして排紙することを特徴とする画像形成装置。
【発明の詳細な説明】
【０００１】
【発明の属する技術分野】
本発明は、複写機、プリンタ、プロッタ、ファクシミリ、印刷機等の画像形成装置に関し、特に転写材としてロール状に巻かれた用紙（ロール用紙）を用いた場合の吸湿の問題に対応した画像形成装置に関する。
【０００２】
【従来の技術】
従来、複写機、プリンタ等の画像形成装置では、感光体等からなる像担持体を帯電手段により一様に帯電した後、原稿画像の露光、あるいは画像信号に応じた光書込みにより、像担持体上に静電潜像を形成し、この静電潜像を現像手段の現像剤（例えばトナー）により顕像化し、顕像化された画像を転写材給紙搬送手段により給紙搬送される転写材上に、転写手段により転写し、転写材に転写された画像を定着手段により定着して画像を形成する。
【０００３】
この種の画像形成装置において、転写材としてロール状に巻かれた用紙（ロール用紙）を用いた場合、ロール用紙を機内に長く入れていると、季節によってはロール用紙の外周に露出している部分が吸湿をしてしまい、この吸湿した用紙部分が転写用紙として給紙されると、転写手段で像担持体から転写用紙に画像（トナー像）を転写する際にトナー像が転写用紙に乗らずに白抜けになるという不具合があった。
そこで従来は、その対策として、ロール用紙等を収納した給紙部内にヒータを設けて、常時ヒータで用紙を保温することにより吸湿を防止し、白抜け対策を行っていた。しかし、給紙部内にヒータを配置した場合、画像形成装置のコストが高くなるのと、画像形成装置を使用していない時にもヒータに通電しているため、ヒータ積算電力が大きくなっていた。
【０００４】
【発明が解決しようとする課題】
本発明は上記事情に鑑みなされたものであり、転写材としてロール用紙を用いた画像形成装置において、吸湿した用紙部分を事前に検知して排出することで、転写用紙の吸湿による白抜けの問題を解消することを目的としている。
【０００５】
【課題を解決するための手段】
上記目的を達成するための手段として、本発明は、像担持体を帯電手段により一様に帯電した後、原稿画像の露光、あるいは画像信号に応じた光書込みにより、前記像担持体上に静電潜像を形成し、この静電潜像を現像手段の現像剤により顕像化し、顕像化された画像を転写材給紙搬送手段により給紙搬送される転写材上に、転写手段により転写し、転写材に転写された画像を定着手段により定着する画像形成装置であって、前記転写材としてロール状に巻かれた用紙（ロール用紙）を用い、該ロール用紙を１以上収納したロール用紙給紙部と、用紙サイズに応じてロール用紙をカットして給紙する手段を備え、前記ロール用紙給紙部内に温湿度センサを配置し、該温湿度センサからの温湿度情報によりロール用紙の吸湿度を検知する構成の画像形成装置において、前記温湿度センサで検知した温湿度情報より、ロール用紙の吸湿時間を算出し、算出時間に応じてロール用紙の吸湿した用紙長部分を自動でカットして排紙することを特徴とする（請求項１）。
【０００６】
さらに本発明では、前記構成の画像形成装置において、用紙種類などの用紙情報を入力する操作部入力手段を備え、該操作部入力手段と連動して、ロール用紙の吸湿時間を自動で算出し、算出時間に応じてロール用紙の吸湿された用紙長部分を自動でカットして排紙することを特徴とする（請求項２）。
また、本発明では、前記構成の画像形成装置において、用紙厚または用紙幅などの用紙情報を入力する操作部入力手段を備え、該操作部入力手段と連動して、ロール用紙の吸湿時間を自動で算出し、算出時間に応じてロール用紙の吸湿された用紙長部分を自動でカットして排紙することを特徴とする（請求項３）。
【０００７】
【発明の実施の形態】
以下、本発明の実施の形態を図面を参照して詳細に説明する。
図１は本発明の一実施形態を示す画像形成装置の概略構成図であり、転写材としてロール状に巻かれた用紙（ロール用紙）を用いたデジタル複写機の一例を示している。また、図２はそのデジタル複写機の電装系の制御部の要部の概略構成を示している。
この複写機は、本体側の給紙部（給紙トレイ）８２と作像部（作像ユニット）８１と、本体上部に装着された原稿搬送装置（ＡＤＦ）１１と読み取り部１７から主に構成されている。
【０００８】
原稿搬送装置（ＡＤＦ）１１は、シート状の原稿Ｓを読み取り位置へ搬送し、原稿Ｓの厚さ（コシの強さ）に応じて予め設定された動作モード（後方排紙モード／前方排紙モード／巻取りモード）に従い、読み取り後の原稿Ｓをａ方向に搬送して装置後方（背面側）の第１原稿排紙トレイ２６に排出するか、または、読み取り反転後の原稿Ｓをｃ方向に案内して装置前方（前面側）の第２原稿排紙トレイ１２に排出するか、あるいは読み取り後に装置後方の第１原稿排紙トレイ２６に案内された原稿Ｓを巻取り収納ガイド２７でｂ方向に巻き取るものである。さらに、ユーザが巻取り収納ガイド２７を装置上方に回転移動させることにより、巻取り後の原稿後端は装置筐体と離間し、原稿Ｓはユーザ操作位置で収納ガイド２７の上方又は側方から取り出される。ここで、装置前方（前面側）とは、操作部５１の表示画面の向きであり、装置後方（背面側）とは、操作部５１の表示画面の向きと反対側、つまり後方排紙モードで原稿Ｓを排出する第１原稿排紙トレイ２６側である。
【０００９】
ＡＤＦ１１の上部ユニットは、図示しないヒンジなどの連結部材によってその下部ユニットと上下方向に開閉自在に接続されている。前記上部ユニットの上部には、操作部５１および第２原稿排紙トレイ１２が装置前方に向いて搭載され、ユニット上部の後方端には巻取り収納ガイド２７がユニット上面と背面の間を揺動可能に支持されている。この巻取り収納ガイド２７は、支持軸２９を支持する支持部材を含む連結手段によって上部ユニットと連結され、支持軸２９を中心として回動可能であって、ユーザの操作で、装置後方の巻取り位置（図１に示す巻取り収納ガイド２７の設定位置）と装置前方（前面側）の取り出し位置とに移動可能に構成されている。また、第２原稿排紙トレイ１２は、櫛歯状に形成された金属製ワイヤからなり、前記上部ユニットの上部にユニット後方から前方に向けて傾斜配設され、反転されて排出された原稿を、装置前方のユーザ操作位置で取り出し可能に収納する。
【００１０】
操作部５１は、図２に示すように、スタートキー、テンキー、クリア／ストップキー、初期設定キー、モードキーなどのキー群３０、および液晶タッチパネル５７を備え、ユーザの操作で各動作モードの設定や動作開始／停止指示が可能なように構成されている。また、液晶タッチパネル５７には、画面ごとに適宜出現する機能キーを含む入力操作部と、部数や装置状態などをメッセージ表示する表示部とを併せ持つ。ユーザ操作による動作モードの設定内容は、操作部５１からメインコントローラ６１に送信される。
【００１１】
読み取り部１７は、図示しないミラー、光源、結像レンズ、シェーディング板、光電変換素子（ＣＣＤイメージセンサ）、スキャナモータなどからなるスキャナユニットであって、装置前方から挿入・搬送されてきた原稿Ｓに搬送路上方から光を照射し、その反射光をミラーおよび結像レンズを介してＣＣＤイメージセンサの受光面に結像し、その画像面を順次画像信号（画像データ）に変換する。
【００１２】
搬送ローラ１４の下流近傍（搬送ローラ１４と第１原稿排紙トレイ２６の間で搬送ローラ１４付近）には、分岐爪（図示せず）が配設され、予め設定された動作モードに基づく、ソレノイド機構（図示せず）の吸引／解除動作で駆動される。前記分岐爪により、前方排紙モードでは、読み取り後の原稿を第２原稿排紙トレイ１２側に分岐させ、後方排紙モードおよび巻取りモードでは、読み取り後の原稿を第１原稿排紙トレイ２６側に分岐させる。
【００１３】
一方、前記下部ユニットの前方上面には原稿テーブル２０が配設され、ユニット後方背面には第１原稿排紙トレイ２６が突き出して取り付けられている。原稿テーブル２０は、原稿Ｓを画像面上向きに載置し、装置前方から挿入された原稿Ｓを搬送ローラ１３のニップ部に案内する。
レジストセンサ１８は、読み取り部１７の上流近傍に配設された光学式反射型センサであって、原稿先端が読み取り部１７に到達したことを検知してオン状態となり、原稿後端通過後にオフとなる。そしてレジストセンサ１８の後端検知タイミングに基づいて、後方排紙モード時における前記分岐爪の復帰処理および搬送モータ４３の停止処理がなされる。
【００１４】
第１原稿排紙トレイ２６は、搬送方向下流に向かって高くなるように傾斜し、櫛歯状に形成された金属製ワイヤからなり、搬送ローラ１４下流の排出口から装置後方に伸展状態で排出された原稿をそのまま収納する。また、巻取り収納ガイド２７が巻取り位置にある場合、第１原稿排紙トレイ２６の櫛歯状ワイヤが巻取り収納ガイド２７の受入れ口（案内手段）として兼用される。
尚、搬送駆動ローラ１３〜１５、バックアップローラ１６は、ステッピングモータからなり、装置本体から電源電圧を供給されて、いずれも搬送モータ４３の駆動で正逆回転する。
【００１５】
一方、作像ユニット８１は、像担持体であるドラム状の感光体３３を中心とし、この感光体３３の周囲には、電子写真プロセスの工程順に、感光体３３を一様に帯電する帯電チャージャ３１、原稿読み取り部１７からの画像信号に応じた光書込みにより感光体３３上に静電潜像を形成する書込みユニット（図示せず）、感光体３３上の静電潜像を現像剤（例えばトナー）で現像して顕像化する現像ユニット３２、感光体上の顕像を転写材に転写する転写チャージャ３６、転写後の転写材を感光体から分離するための分離チャージャ３７などが配設されている。また、前記書込みユニットは、レーザ出力ユニット（レーザダイオード、コリメートレンズ、ポリゴンミラーなどを具備）、結像レンズ、ミラーなどによるレーザ書込み光学系を構成しているか、あるいは発光ダイオード（ＬＥＤ）アレイと結像素子アレイなどを組み合わせたＬＥＤアレイ書込み光学系を構成している。
【００１６】
作像ユニット８１内の下部には給紙部（給紙トレイ）８２が設けられており、この給紙トレイ８２内には、転写材として、複数のロール状に巻かれた転写用紙（第１〜第３のロール用紙）７８〜８０が引き出し自在に装着されており、共通の転写材給紙搬送手段である縦搬送ユニット（給紙ローラ７１〜７５、給紙カッタ７６，７７を含む）を介して感光体３３の転写位置側に、選択されたロール用紙から原稿長に応じてカットされた転写用紙を給紙搬送する。さらに、感光体３３の転写位置よりも搬送方向下流には、図示しない搬送手段（搬送ベルトまたは搬送ローラ）、定着ユニット（定着ローラ３５、加圧ローラ３４など）、排紙ローラ３８，３９を含む排紙ユニット、排紙トレイ４０，４１が順に設けられている。尚、第１〜第３のロール用紙７８〜８０としては、用紙種類（普通紙、トレッシングペーパ、フィルム、再生紙等）や用紙幅、あるいは用紙厚が異なるものが装着されており、これらは後述する操作部５１の液晶タッチパネル５７等により適宜選択される。
【００１７】
以上の構成により、第１〜第３のロール用紙７８〜８０は、ＡＤＦ１１側で検出した原稿長さ（あるいは操作部５１から入力された用紙種類や用紙サイズ（用紙幅、長さ）等）に応じ、選択・切断され、前記縦搬送ユニットにより感光体３３の転写位置まで搬送される。一方、副走査方向に回転駆動される感光体３３側では前記書込みユニットによる主走査方向の光書込みを受けて静電潜像が形成され、現像ユニット３２による現像を受けてトナー像が形成される。前記縦搬送ユニットにより搬送されたカット済み転写用紙は、このトナー像先端と同期を取りながら、感光体３３と同速で駆動されるレジストローラ７０および図示しない搬送手段（搬送ベルトまたは搬送ローラ）によって搬送され、トナー像の転写を受ける。転写後の転写用紙は前記定着ユニットによる定着処理を受けた後、転写用紙のサイズに応じ、排紙ローラ３８，３９を介して排紙トレイ４０，４１上に排出される。
【００１８】
次に図２に示す電装制御系のハードウェア構成を説明する。
デジタル複写機全体を制御するメインコントローラ６１には、操作部５１やＡＤＦ１１の他に、図示しない画像処理ユニットが接続されている。これらの分散制御装置とメインコントローラ６１とは、必要に応じて機械の状態、動作指令などをやり取りする。さらに、原稿Ｓの搬送に必要な搬送モータ４３や転写用紙の給紙搬送に必要な給紙モータ８４、ロール用紙をカットする給紙カッタ７６，７７、図示しない各種モータ（感光体、現像ローラ、定着ローラ、搬送手段、排紙ローラ等の各部の駆動モータ）、各種クラッチなどが、入出力部（Ｉ／Ｏ）６３を介してメインコントローラ６１に接続されている。また、搬送モータ４３や各種クラッチの駆動に必要な原稿位置情報を検出するレジストセンサ１８が、入出力部（Ｉ／Ｏ）６３を介してメインコントローラ６１に接続されている。さらに、ＡＤＦ１１の原稿挿入部には挿入・搬送される原稿のサイズを検知する光学式反射型の原稿サイズセンサ６４が設けられている。また、第１〜第３のロール用紙７８〜８０を収納した給紙トレイ８２内には温湿度センサ８３が配置されており、この温湿度センサ８３が入出力部（Ｉ／Ｏ）６３を介してメインコントローラ６１に接続されている。
【００１９】
メインコントローラ６１は、マイクロプロセッサ（マイクロコンピュータ）等からなる中央演算処理装置（ＣＰＵ）、メモリ（ＲＡＭ／ＲＯＭ）、各種制御回路、Ａ／Ｄコンバータ、クロック、カウンタ、タイマーなどから構成され、各種センサ１８，６４，８３の検知信号、搬送モータ４３や給紙モータ８４などの各種モータの状態信号、各種クラッチの状態信号、操作部５１の設定信号などに基づいて、搬送モータ４３や給紙モータ８４などの各種モータの駆動制御、各種クラッチの駆動制御、帯電、書込み、現像、転写等の各部の制御、操作部５１における液晶タッチパネル５７の表示制御などを行う。また、メインコントローラ６１のメモリ（ＲＡＭ／ＲＯＭ）には、操作部５１から入力・設定された動作モード（前方排紙モード／後方排紙モード／巻取りモード、補正モードを含む）や、用紙情報（用紙種類（普通紙、トレッシングペーパ、フィルム、再生紙等）、用紙サイズ（用紙幅、長さ）、用紙厚など）を記憶し、その動作モードや用紙情報が変更される度に記憶内容を更新するように構成されている。
【００２０】
メインコントローラ６１には、給紙ローラ７１〜７５を回転駆動するための給紙モータ８４が入出力部（Ｉ／Ｏ）６３を介して接続されているが、給紙モータ８４へ入力されるパルス数のカウント値は、給紙ローラ７１〜７５の搬送量に応じたものとなり、給紙ローラ７１〜７５の１パルス当たりの搬送量に前記カウント値を乗じることで、繰り出されたロール用紙の長さを求めることができる。したがって、計数したパルス数を予め設定された設定値（原稿挿入時に検出された原稿長実測値や、あるいは操作部で設定された用紙サイズに応じた長さ）と比較し、一致している場合は、前記給紙モータ８４を停止させ、給紙カッタ７６，７７のいずれかによってロール用紙７８〜８０のいずれかを切断する。これにより、メモリに蓄積されている原稿長さや、あるいは設定された用紙サイズと同じ長さのカット済み転写用紙が得られる。
【００２１】
一方、計数したパルス数と予め設定した設定値が一致しない場合は、前記給紙モータ８４の回転による搬送にずれが生じていると判断し、補正処理を行う。すなわち、メモリに蓄積されている原稿のライン数（あるいは設定された用紙サイズ長）をＬとし、計数したパルス数をＸとし、原稿挿入時に検出された原稿長（あるいは設定された用紙サイズ長）に対応するパルス数をＰとすると、
Ｌ１＝Ｌ＊（Ｘ／Ｐ）
だけロール用紙を搬送してから、前記給紙モータ８４を停止させて給紙カッタ７６，７７によりロール用紙を切断する。これにより、搬送ずれを吸収し、メモリに蓄積されている原稿長（あるいは設定された用紙サイズ長）と同じ長さのカット済み転写用紙を得ることができる。
【００２２】
以上、本発明に係る画像形成装置の一実施形態として、ロール用紙を用いるデジタル複写機の一例について説明したが、この種の画像形成装置において、転写材としてロール用紙７８〜８０を用いた場合、ロール用紙を機内に長く入れていると、季節によってはロール用紙７８〜８０の外周に露出している部分、特に各ロール用紙７８〜８０の外周表面に露出している部分と給紙ローラ７２，７３，７５まで引き出されている部分が吸湿をしてしまい、この吸湿した用紙部分が転写用紙として給紙されると、転写チャージャ３６で感光体３３から転写用紙にトナー像を転写する際にトナー像が転写用紙に乗らずに白抜けになるという不具合があった。そこで本発明では、給紙部（給紙トレイ）８２内のロール用紙７８〜８０の近傍に温湿度センサ８３を配置し、この温湿度センサ８３を入出力部（Ｉ／Ｏ）６３を介してメインコントローラ６１に接続している。そしてメインコントローラ６１は、この温湿度センサ８３からの温湿度情報によりロール用紙７８〜８０の吸湿度を検知する構成とし、温湿度センサ８３で検知した温湿度情報より、ロール用紙７８〜８０の吸湿時間を算出し、算出時間に応じてロール用紙の吸湿した用紙長部分を給紙カッタ７６，７７により自動でカットして排紙するようにしている。
【００２３】
より具体的に説明すると、温室度センサー８３よりコントローラ６１に入力された情報は、コントローラ６１内で図示しないＡ／Ｄコンバーターによりデジタル化されてＣＰＵに入力される。ＣＰＵは入力されたデータを温湿度データに変換して、その温湿度に応じた吸湿判定時間を、予め設定されてメモリに記憶されているデータテーブルより設定して、タイマーをスタートする。そしてタイマーのカウントが設定時間を超えた場合には、ロール用紙が吸湿による影響を受けるので、作像ユニット８１によるプリントの開始時に吸湿により影響を受ける用紙部分を給紙ローラ７２，７３または７５で送り出し、その吸湿した部分を給紙カッタ７６または７７により切断して白紙排出させた後、プリントをスタートする。また、タイマーのカウントが設定時間を超えていない場合には、用紙はまだ吸湿による影響を受けていないので、通常のプリント動作を開始する。
【００２４】
ここで図３，４はコントローラ６１のＣＰＵで処理される制御フローの一例を示しており、上記で述べた吸湿判定の制御例を示している。すなわち、温室度センサー８３の情報を読み取り、温湿度データに変換し（Ｓ１１）、その温湿度に応じた吸湿判定時間（タイマーカウント値）を、予め設定されてメモリに記憶されているデータテーブルより設定し（Ｓ１２）、タイマーをスタートする（Ｓ１３）。そして吸湿時間（タイマーカウント）が設定値を超えているか否かを判定し（Ｓ１４）、超えていれば白紙排出用フラグをセットする（Ｓ１５）。そして画像出力要求があった時点で（Ｓ２１）、白紙排出用フラグがセットされているか否かを判定し（Ｓ２２）、白紙排出用フラグがセットされている場合は、ロール用紙７８〜８０の中から選択されたロール用紙のカットサイズ分だけ給紙ローラ７２，７３または７５で用紙を送り出し、給紙カッタ７６または７７で切断して白紙のまま排紙させた後（Ｓ２３）、プリント動作を行う（Ｓ２４）。また、吸湿時間が判定時間を超えておらず、白紙排出用フラグがセットされていなければ、そのまま通常のプリント動作を開始する（Ｓ２５）。以上の制御動作により、ロール用紙の吸湿した部分は画像の転写に使用せずに白紙のまま排紙部に排出されるので、転写用紙の吸湿による白抜けの問題を解消することができる。
【００２５】
次に図５は、操作部５１の液晶タッチパネル５７の表示例を示しており、液晶タッチパネル５７を、用紙種類、用紙厚の操作部入力手段として用いた場合の例である。
図５に示すように、操作部５１の液晶タッチパネル５７により、ロール用紙の用紙種類（普通紙、トレッシングペーパ、フィルム、再生紙等）やその用紙厚が入力され、コントローラ６１のメモリー内に格納される。そして、この例では、用紙種類や用紙厚情報を元に予め作成されてメモリに記憶されているデータテーブルより、用紙種類、用紙厚情報による各用紙の吸湿時間を前述のように算出して吸湿判定時間を設定する。以後、図３，４に示した制御フローを実行して吸湿により影響を受ける用紙部分に対応する。すなわち、操作部５１の液晶タッチパネル５７により入力された用紙種類、用紙厚などの用紙情報と連動して、ロール用紙の吸湿時間を自動で算出し、図３，４に示した制御フローを実行して算出時間に応じてロール用紙の吸湿された用紙長部分を自動でカットして排紙する。これにより、用紙種類や用紙厚に応じてロール用紙の吸湿した部分がカットされて、画像の転写に使用せずに白紙のまま排出されるので、用紙種類や用紙厚が変わっても対応することができ、転写用紙の吸湿による白抜けの問題を解消することができる。尚、以上の例では、用紙種類や用紙厚などの用紙情報としたが、この他、用紙幅を組み合わせた用紙情報に応じて、ロール用紙の吸湿時間を自動で算出するようにしてもよい。
【００２６】
【発明の効果】
以上説明したように、本発明に係る画像形成装置においては、温湿度センサで検知した温湿度情報より、ロール用紙の吸湿時間を算出し、算出時間に応じてロール用紙の吸湿した用紙長部分を自動でカットして排紙するので、転写用紙の吸湿による白抜けの問題を解消することができる。
また、本発明に係る画像形成装置においては、用紙種類や用紙厚、用紙幅などの用紙情報を入力する操作部入力手段を備え、該操作部入力手段と連動して、ロール用紙の吸湿時間を自動で算出し、算出時間に応じてロール用紙の吸湿された用紙長部分を自動でカットして排紙するので、用紙種類や用紙厚、用紙幅などが変わっても対応することができ、転写用紙の吸湿による白抜けの問題を解消することができる。
【図面の簡単な説明】
【図１】本発明の一実施形態を示す画像形成装置の概略構成図である。
【図２】図１に示す画像形成装置の制御部の概略構成を示すブロック図である。
【図３】図２に示すコントローラで処理される制御フローの一例を示す図である。
【図４】図２に示すコントローラで処理される制御フローの一例を示す図である。
【図５】用紙種類、用紙厚などの操作部入力手段として用いられる操作部の液晶タッチパネルの表示例を示す図である。
【符号の説明】
１１：ＡＤＦ
１７：読み取り部
３０：キー群
３１：帯電チャージャ（帯電手段）
３２：現像ユニット（現像手段）
３３：感光体（像担持体）
３４：加圧ローラ
３５：定着ローラ
３６：転写チャージャ（転写手段）
３７：分離チャージャ
３８，３９：排紙ローラ
４０，４１：排紙トレイ
４３：原稿搬送モータ
５１：操作部
５７：液晶タッチパネル
６１：メインコントローラ
６３：入出力部（Ｉ／Ｏ）
６４：原稿サイズセンサ
７０：レジストローラ
７１〜７５：給紙ローラ
７６，７７：給紙カッタ
７８〜８０：ロール用紙
８１：作像ユニット
８２：給紙トレイ（給紙部）
８３：温湿度センサ
８４：給紙モータ
【図１】
2005004072.tif 000003
【図２】
2005004072.tif 000004
【図３】
2005004072.tif 000005
【図４】
2005004072.tif 000006
【図５】
2005004072.tif 000007